(57)【要約】【課題】  冷蔵庫にペットボトルを収容のまま飲料水を給水出来るペットボトル用のポンプのスイッチ操作が誤動作なく且つ簡単に出来ること。マットを両用可能にすること。【課題を解決するための手段】電池式で羽根車での給水ポンプにおいて、折畳みと自己復元自在でなる注出口蓋１６ａの折畳み時にスイッチノブ７面上の凸状でなるロック突起８が、注出口蓋１６ａ側面に開口する突起受孔１６ｂと係合ロックするスイッチノブ７のロック突起８のロック孔部８ａでの上下運動で、注出口蓋１６ａが９０°折り曲げのロックからスイッチノブ７の下押しにて、水平状態に開成するアンロックが行われてからのみ、スイッチノブ７に水平押し圧が付加されることで、スイッチノブ受体１７が同時にスライド移動し、スイッチノブ７に一体化するスイッチ押部１８がスイッチ体６のノブ６ａに係合押圧し、スイッチ体６のＯＮ可能にした構成である。【選択図】  図１
0003104299.tif 000002
【実用新案登録請求の範囲】
【請求項１】
蓋（１）付で底受（２）付でのケース本体（３）に内設するモーター（４）と乾電池（５）とスイッチ体（６）とのそれぞれの配線によって回動自在でなるモーター（４）は、ケース本体（３）の外周に位置して露出してなるスイッチノブ（７）のプッシュ操作によって、スイッチ本体（６）のＯＮ（閉成体）でモーター（４）が回動し、プッシュ解除のＯＦＦ（開成体）でモーター（４）の停止がおこなわれ、これらのスイッチノブ（７）のプッシュＯＮ時は、回動するモーター（４）の主軸（４ａ）に設けたプーリー（１０）からベルト（９）を介在し、他方のプーリー（１０ａ）に連動し、このプーリー（１０ａ）に一体的構成して回動し、ケース本体（３）の中央部に設けた中空の吸込みパイプ（１１）内に貫通して設けた連結体（１２）と同軸上に配設する羽根車（１２ａ）の回動によって、ペットボトル内の飲料（ａ）が吸い込まれ吸込みパイプ（１１）内を吸込み上げられ、第１通路体（１４）に設けた防水軸受体部（１３）地点にて略９０°直角方向に通路転換する第１通路体（１４）を通過し、更にチューブ状で弾性体の第２通路体（１５）を通過して、それの出口に直結する注出口（１６）より給水するが、その第２通路体（１５）を支える注出口蓋（１６ａ）は蓋（１）に設けたヒンジ部（１ａ）にて遊合し、折り曲げ自在のチューブ状の弾性体の第２通路体（１５）の収容するこの注出蓋（１６ａ）が略９０°折り曲げにて、注出口（１６）がケース本体（３）の側面に収容ロックで保持され且つ、注出蓋（１６ａ）解除の略水平状態を第２通路体（１５）のチューブ状の弾性体の復元力にて保持可能なペットボトル用ポンプにおいて、折畳みと自己復元自在でなる注出口蓋（１６ａ）の折畳み時に、スイッチノブ（７）面上の凸状でなるロック突起（８）が、注出口蓋（１６ａ）側面に開口する突起受孔（１６ｂ）と係合ロックするスイッチノブ（７）のロック突起（８）のロック孔部（８ａ）での上下運動で、注出口蓋（１６ａ）が９０°折り曲げのロックからスイッチノブ（７）の下押しにて水平状態に開いてアンロックが行われてからのみ、スイッチノブ（７）に水平押し圧が付加されることで、スイッチノブ受体（１７）が同時にスライド移動しスイッチノブ（７）に一体化するスイッチ押部（１８）がスイッチ体（６）のノブ（６ａ）に係合押圧にて、スイッチ体（６）のＯＮ可能にし、ノブ（６ａ）の係合押し圧解除によって、スイッチ体（１６）のＯＦＦ可能にしたスイッチ機構を具備したことを特徴とする冷蔵庫収容のままに使えるペットボトル用ポンプ。
【請求項２】
前記するプーリー（１０ａ）と一体的回動する棒状の連結体（１２）の軸受となる第１通路体（１４）項部（１４ａ）に設けた防水軸受体部（１３）において、そのプーリー（１０ａ）の筒体内壁面に近接した中空状の軸受筒体（１４ｂ）は、弾性体のゴム質でなるシールパット（１４ｄ）と合成樹脂製の軸受けとなる軸受ブッシュ（１４ｅ）やボールベアリングなどの相方を包み込み収容したシールケース（１４Ｃ）を内部に装着し、これらが軸受筒体蓋（１４ｆ）によって軸受筒体（１４ｂ）が密封されるがプーリー（１０ａ）の中心部より垂下する連結体（１２）の棒状の軸はシールパット（１４ｄ）の開口孔（１４ｇ）で弾発力を受けて回動する連結体（１２）は防水的役割を構成し、且つそれに積み重ねて並列する軸受となる軸受ブッシュ（１４ｅ）やボールベアリングなどの開口孔（１４ｇ’）は連結体（１２）の回動を自在にする構成でなることで、これらの防水軸受体部（１３）によって回動する羽根車（１２ａ）の飲料水吸上げ過剰な水圧が吸込みパイプ（１１）を通過して、第２通路体（１４）に移動する際での防水軸受体部（１３）からの飲料水もれを防止可能にしたことを特徴とする請求項１記載の冷蔵庫収容ままに使えるペットボトル用ポンプ。
【考案の詳細な説明】
【技術分野】
【０００１】本考案は、ペットボトルの飲料水をコップなどに汲取るのに使う電動式で、羽根車を回動するポンプに関し、詳しくは、これらのポンプの一部の改良に関し、特に給水操作時でのスイッチ部及び軸受け部での防水に関するものである。
【背景技術】
【０００２】此の種の従来の技術として、特願２００３−３００５７０が知られる、即ち図６で述べるように蓋１’付きで底受け２’付でのケース本体３’に内設するモーター４’と乾電池５’とスイッチ体６’とのそれぞれが配線されるモーター４’は、ケース本体３’の外周に位置して外部露出してなるスイッチノブ７’のプッシュ操作によってスイッチ本体６’のＯＮ（閉成体）でモーター４’が回動し、ＯＦＦ（開成体）でモーター４’の停止が行われ、これらのスイッチノブ７’のプッシュＯＮ時は、回動するモーター４’の主軸４ａ’に設けたプーリー１０’からベルト９’を介在し、他方のプーリー１０ａ’に連動してこのプーリー１０ａ’に一体構成する連結体１２’と同軸上の羽根車１２ａ’の回動が行われる。【０００３】これらのケース本体３’の中央部に設けて、ペットボトルの開口部に差込まれる中空の吸込みパイプ１１’内に貫通して設けた連結体１２’の同軸上に配設する羽根車１２ａ’の吸込み回動によって、ペットボトル内の飲料水ａが吸込まれ、吸込みパイプ１１’内を吸込みあげられ給水される。【０００４】そして細長く回動自在でなる羽根車１２ａ’を回動する連結体１２’は、防水軸受部１３’を具備してなる第１通路体１４’の一部を軸受けとするが、その連結体１２’は、防水軸受部１３’に開口する孔にはめ込まれるゴム質でリング状で弾力性のある第１リング１４ｈによって軸受部の防水を行っている。【０００５】また、これらの防水軸受部１３’の装備する第１通路体１４’は直下する連結体１２’に略９０°直角方向に通路交換し、これらの端部は更にチューブ状で弾性体の第２通路体１５’に接続され、ボトル内で吸込まれた飲料水が第１通路体１４’の防水軸受部１３’に吸上げられてその点が急激に９０°角度方向に水路を転換する事になる。【０００６】このようにチューブ状の中空体を通過する飲料水は、第２通路体１５’の出口に直結する注出口１６’を具備し、蓋１’のヒンジ部１ａ’にて係合し、折り曲げ自在のチューブ状の弾性体の第２通路体１５’を収容する注出口蓋１６ａ’からなり、この注出口蓋１６ａ’のヒンジ部１ａ’にて９０°折り曲げ自在で注出口１６’がケース体３’の側面に収容し、そのケース体３’に設けたロック突起８’に注出口蓋１６ａ’の側面が係止することでロックする。【０００７】そしてまた、注出口蓋１６ａをロック突起８’から離して解除することで水平状態が第２通路体１５’のチューブ状の弾性体の復元力にて保持可能で、これらの状態で注出口１６’の真下にコップを持っていき、コップ側面をスイッチノブ７’に押圧することで押される間、スイッチングされて羽根車１２ａ’が回動し、飲料水が汲み上げられることになる。【０００８】これらのペットボトルの開口部にセッティングするポンプ体は冷蔵庫内で収容したままの状態で冷えた飲料水が冷蔵庫の扉を開け即刻ペットボトルを取出さずにコップに飲料水を給水出来る構成である。
【考案の開示】
【考案が解決しようとする課題】
【０００９】しかしながら上記する従来技術での場合、２リットル用ペットボトルにポンプをセッティングした状態で、冷蔵庫内での食材が不測にポンプのケース本体に露出になるスイッチノブの凸部に押し圧が付加した場合は注出口蓋が９０°に折畳まれたままの水路の閉鎖状態で、モーターが回動するため吸上げられた飲料水が猛烈な水圧が無限に吸込みパイプ、第１通路体、第２通路体の夫々の空間内にためられ逃げ場を失うことで、注出口蓋ロックが強度をあげない限り自然解除し一気に注出口から飲料水が流出するという欠点が生ずる。【００１０】そしてまた、このような不測な誤動作が、注出口蓋のロック状態において発生した場合に吸上げられた飲料水の出口がふさがれていることで、微かな隙間を設けて回動する防水軸受体部のオーリングを防水構造とする連結体の回動部において強烈な水圧増加によって、その微少な隙間から外部に飲料が一気に吹き出すなどの欠点がある。【００１１】勿論上記するオーリングの孔の内周はゴム材での弾性力によって回転部である連結体のシャフトの外周に接合する防水式軸受の場合でもこれらのゴム材のクッション圧をオーバーする水圧が付加されるためである。【００１２】そしてまた、冷蔵庫での利用者のポンプ操作においては、注出口蓋を片手を使って９０°での注出口蓋のロックを指先でつまんではずさない限りロックが解除しないため、コップに飲料水を給水するのに、ロック解除後にコップを持ってそのコップ側面でスイッチノブに押し圧しなければならないなどの操作に時間が掛ることで冷蔵庫の扉の開いている時間を長引かせるなどの課題が残る。
【問題を解決するための手段】
【００１３】この考案は、上記の欠点ともなる数々課題を解決するために、請求項１での考案においては、図１．２で述べるように従来でのモーター式での羽根車を回動するポンプでの操作時に、冷蔵庫内に収容されたポンプ付きでのペットボトルの飲料水をコップに給水するのに、狙いとするところは、冷蔵庫の扉を開けた後片手にコップを持ったまま持つ手の指先でスイッチノブ７を下方に押し下げて瞬時にケース本体３の側面に９０°折り曲げられて収納された注出口１６のロックが解除され、水平状態に注出口蓋１６ａが第２通路体１５の弾性力の自己復元によって保持されることでそのまま、コップの側面でスイッチノブ７に加圧してモーター４を回動させてスピーディーに操作が出来る仕組みである。即ちスイッチノブ７の操作でロック解除しその後スイッチング操作が出来る構成である。
【００１４】折畳みと自己復元自在でなる注出口蓋１６の折畳み収容時に、スイッチノブ７面上の凸状でなるロック突起８が、注出口蓋１６ａ側面に開口する突起受孔１６ｂとが係合するスイッチノブ７のロック突起８がロック孔部８ａでの上下運動で注出口蓋１６ａの開閉のロック状態とアンロック状態が実施され、ロック突起８が突起受孔１６ｂに差込まれている間は、スイッチノブ７に押し圧がかかってもスイッチノブ７は動かないことになる。
【００１５】即ち、注出口蓋１６ａが９０°折り曲げのロックから水平状態にアンロックがなされたあとでのみ、スイッチノブ７に押し圧が付加されることになり解除後に始めてスイッチノブ受体１７が同時にスライド移動し、スイッチノブ７に一体化でなるスイッチ押部１８がスイッチ体６のノブ６ｂに係合し押している間はスイッチ体６のＯＮが可能で給水が出来ることになる。
【００１６】次に請求項２での考案においては、図５で述べるように、プーリー１０ａに一体的回動する連結体１２の軸受部での防水軸受部１３での改良を述べるが、プーリー１０ａの筒体内壁面に近接して第１通路体１４の項部に筒体状の防水軸受体部１３が延長加設している。
【００１７】そしてこれらの防水軸受体部１３の内壁面に沿って中空状の軸受筒体１４ｂは弾性体のゴム質でなるシールパット１４ｄと高速軸受となる合成樹脂製の軸受ブッシュ１４ｅ或いは一般的なボールベアリングなどの相方を包み込み収容したシールケース１４ｃを装着係合している。
【００１８】そしてこれらが、軸受筒体蓋１４ｆによって軸受筒体１４ｂが密封され、プーリー１０ａの中心部より垂下する連結体１２が貫通する軸孔はシールパット１４ｄの開口孔１４ｇで弾発力を受けて回動する連結体１２は防水的役割を構成し、且つそれに積み重ねて並列する軸受ブッシュ１４ｅ又はボールベアリングなどの開口孔１４ｇ’は連結体１２の回動をよじれ傾れなどのない円滑で偏心のない軸受の構成である。
【考案の効果】
【００１９】本考案は上述の通り構成作用することで次の優れた効果を奏する。即ち第１実施例においては、図１．２．３．４で述べるに、夏場での飲料水の入ったペットボトルの栓を抜いて、当該考案でのポンプをセッティングして、コップに給水するのにスイッチノブを下方の押し圧操作で注出口を開成にしない限り、スイッチノブに外部から押し圧が働いても、スイッチの入らない誤動作のない安全な冷蔵庫収容のままでペットボトルを冷蔵庫から取出さないままで使える冷蔵庫収容ままに使えるペットボトル用ポンプが供給出来る。
【００２０】そしてまた、第２実施例においては、図５で述べるように防水軸受体部が軸受筒体内に弾性体のゴム質でなるシールパットと軸受の相方を包装状態のシールケースを収容密封体にすることで、連結体の回動部での回動がよじれや倒れのない円滑可能で軸受部からの飲料水もれのない冷蔵庫収容のままに使えるペットボトル用ポンプが供給出来る。
【００２１】そしてまた、冷蔵庫の扉を開けペットボトルのポンプのスイッチング操作がコップを片手に持ったままの指先を使って軽くスイッチノブを押し下げることで注出口蓋のロックが解除され、瞬時水平状態に保持されることで即刻スイッチノブに押し圧をかけて給水の出来る冷蔵庫収容ままに使えるペットボトル用ポンプが供給出来る。
【考案を実施するための最良の形態】
【００２２】以下に図示の実施例に基づいて本考案を更に詳細に説明する。
即ち図１．２．３．４は第１実施例を示し、ケース本体３に内設するモーター４、乾電池５、スイッチ体６、などのパーツはそれぞれが一般的に配線される。【００２３】これらのスイッチ操作は、スイッチノブ７のプッシュ操作によって、スイッチ本体６のＯＮ（閉成体）でモーター４に通電されて回転され、スイッチノブ７の押し圧操作が解除されて、スイッチ体６のＯＦＦ（開成体）でモーター４が停止する。【００２４】このように、スイッチノブ７のブッシュＯＮ時は、回動するモーター４の主軸４ａ上のプーリー１０の回動がベルト９を介在し、他方の並列するプ−リー１０ａに連動し、ケース本体３の中央部に位置して垂下する中空の吸込みパイプ１１内部に貫通した棒状の連結体１２を回動し、その同軸上の羽根車１２ａの回転によって飲料水が給水される。【００２５】そして、ペットボトル内の底部で回転する羽根車１２ａの回転によって吸込みパイプ１１に吸込まれた飲料水ａの水路は、その吸込みパイプ１１の中部を飲料水は上部に向けて進み、第１通路体１４を経て第２通路体１５に伝達し、その第２通路体１５に連結する注出口１６の開口孔からペットボトル内の飲料水ａが給水される。【００２６】前記する第１通路体１４は水路の一部に防水軸受体部１３を具備しケース本体３の中央部で垂下する吸込みパイプ１１と９０°直角方向に通路変換しながら注出口１６のもつ第２通路体１５に接続されるが、これらのチューブ状の弾性体で折り曲げ自在の第２通路体１５は、蓋１のヒンジ部１ａと係合して折り曲げ自在の注出口蓋１６ａに収容されて、水平状態から９０°折り曲げることでチューブ状を飲料水の通過する中空部が密封状態に遮断されることになる。【００２７】これらの蓋１のヒンジ部１ａに係合する折り曲げ９０°の解放によって、チューブ状の第２通路体の水平自己復元での９０°折り曲げ時でのロックはスイッチノブ７面上の凸状でなるロック突起８、注出口１６ａの側面に開口する突起受孔１６ｂに係合することでロックとアンロックが行われる。【００２８】今、スイッチノブ７は、スイッチノブ受体１７にセッティングされることで相互に設けたスイッチノブ軸７ｂとスイッチノブ受孔１７ｂとで、スイッチノブ７はシーソ的動きの押し下げ方向と水平押し方向の相互の動きは、押し圧解除によって自動もどり可能にするための戻しスプリング１７ａとスイッチスプリング１７ｃの夫々の弾発力によって達成される。【００２９】即ち、スイッチ受体１７とシーソ運動でのスイッチノブ７との間にさし込まれて弾発する戻しスプリング１７ａは常時ロック突起８が注出口蓋１６ａの突起受孔１６ｂを待機して係止するロック孔部８ａにのぞいていることで、折り曲げ時に注出蓋１６ａに具備する注出口１６の端部がスイッチノブ７に一体的構成するロック突起８の傾斜面に出合うことで、ロック突起８が瞬時ロック孔部８ａにもぐり込み即刻戻しスプリング１７ａの反発力によって突起受孔１６ｂにさし込まれることで注出口蓋１６ａがロックされる。【００３０】この場合ロックされた注出口蓋１６ａは突起受孔１６ｂからロック突起８がはずされない限り、この収容状態での９０°折り曲げままの注出口蓋１６ａが保持されるが、図３．４で示すようにスイッチノブ７を��方矢印方向に押し下げて始めて、ロック突起８が突起受孔１６ｂから外れて注出口蓋１６ａが矢印方向に解放される。【００３１】この注出口蓋１６ａが水平状態に解放されない限り、スイッチノブ７はＡ方向矢印に向けて押し圧が動かないため、スイッチ体６が働かないことになるが、図４に示すように注出口蓋１６ａが解放されて始めてスイッチノブ７が矢印方向に押されることで、スイッチ押部１８がスイッチ体６のノブ６ａを押すことで、スイッチングされて飲料水ａが注出口１６から給水される。【００３２】次に図５で第２実施例を示し、上記するプーリー１０ａと一体的回動する連結体１２の軸受部での防水軸受体部１３が筒体状のプーリー１０ａの内壁に近接し、第１通路体１４の項部に筒体状で延長する軸受筒体１４ｂが、弾性体のゴム質でなるシールパット１４ｄと合成樹脂製の軸受ブッシュ１４ｅの相互を包み込むように収容したシールケース１４ｃを内設係合するが、連結体１２の軸受ブッシュ１４ｅは一般的なボールベアリングでもプーリー１０ａの中央部に垂下する棒状の連結体１２がぐらついたり、よじれたりすることなく円滑に回動可能の構成である。【００３３】これらの軸受ブッシュ１４ｅとそれに連結して並列する弾性体のゴム質でのシールパット１４ｄはシールケース１４ｃに収容され、更に軸受筒体１４ｂに密封状態に着装されるが、プーリー１０ａの中心部より垂下する連結体１２の棒状の軸は、シールパット１４ｄの開口孔１１ｇに貫通するが、シールパット１４ｄの弾発力を受けて回動することで、吸込みパイプ１１を貫通する飲料水のシールパット１４ｄの直撃水圧に絶えることで、軸受ブッシュ１４ｅのすき間に飲料水の浸水のない防水軸受体部１３が構成する。【００３４】即ち、連結体１２は軸受ブッシュ１４ｅの長目の開口孔１４ｇ’で支えられて偏芯のない高速回転の軸受け構成は、その軸受ブッシュ１４ｅに接合して設けたおわん状のクッション性の弾発力の開口孔１４ｇを持つシールパット１４ｄのその開口孔１４ｇに貫通する連結体１２の回動が軸受けブッシュ１４ｅと同心上で偏芯のない高速回転が保持されることで飲料水の防水効果を高める構成である。
【図面の簡単な説明】
【００３５】
【図１】  本考案に係る第１実施例での一部断面での全体斜視図である。
【図２】  本考案に係る第１実施例でのスイッチノブ要部一部断面での斜視図である。
【図３】  本考案に係る第１実施例での注出口蓋収容時の斜視図である。
【図４】  本考案に係る第１実施例での注出口蓋解放時の斜視図である。
【図５】  本考案に係る第２実施例での要部での一部断面の分解斜視図である。
【図６】  従来技術でのペットボトル用ポンプの縦断面図である。
【符号の説明】
【００３６】１．１’        蓋
１ａ．１ａ’    ヒンジ部
２．２’        底部
３．３’        ケース本体
４．４’        モーター
４ａ．４ａ’    主軸
５．５’        乾電池
６．６’        スイッチ体
６ａ．６ａ’    ノブ
７．７’        スイッチノブ
７ａ            主軸
７ｂ            スイッチノブ軸
８．８’        ロック突起
８ａ            ロック孔部
９．９’        ベルト
１０．１０’．１０ａ．１０ａ’  プーリー
１１．１１’    吸込みパイプ
１２．１２’    連結体
１２ａ．１２ａ’羽根車
１３．１３’    防水軸受体部
１４．１４’    第１通路体
１４ａ          頂部
１４ｂ          軸受筒体
１４ｃ        シールケース
１４ｄ          シールパット
１４ｅ          軸受ブッシュ
１４ｆ          軸受筒体蓋
１４ｇ．１４ｇ’開口孔
１５．１５’    第２通路体
１６．１６’    注出口
１６ａ．１６ａ’注出口蓋
１６ｂ          突起受孔
１７            スイッチノブ受体
１７ａ          戻しスプリング
１７ｂ          スイッチノブ受孔
１７ｃ          スイッチスプリング
１７ｄ          プッシュ戻しスプリング
１８．１８’    スイッチ押部
【図１】
0003104299.tif 000003
【図２】
0003104299.tif 000004
【図３】
0003104299.tif 000005
【図４】
0003104299.tif 000006
【図５】
0003104299.tif 000007
【図６】
0003104299.tif 000008